(57)【要約】【課題】同軸ケーブルが装着されたもとで回路基板に固定された相手方コネクタ装置に連結されるにあたり、グラウンドコンタクト部材の一部が回路基板に設けられた配線部との不所望な接触を生じてしまう虞を回避することができる同軸コネクタ装置を提供する。【解決手段】グラウンドコンタクト部材１２におけるケーブル支持部２３に第１の係合部２７が設けられるとともにグラウンドコンタクト部材１２におけるシェル部２４に第２の係合部２９が設けられ、ケーブル支持部２３が同軸ケーブル４０を支えたもとでシェル部２４がケーブル支持部２３に対向する位置をとるとき、第１の係合部２７と第２の係合部２９とが相互係合して、ケーブル支持部２３とシェル部２４とがケーブル支持部２３により支えられた同軸ケーブル４０を挟持する状態を維持する。【選択図】図１１
2017157291.tif 000002
【特許請求の範囲】
【請求項１】
同軸ケーブルの中心導体との接続がなされて外部シグナルコンタクト部に接触接続されるシグナルコンタクト部材と、
外部グラウンドコンタクト部に嵌合接続される嵌合部，該嵌合部から伸びて中心導体が上記シグナルコンタクト部材との電気的接続状態におかれる同軸ケーブルの外側導体に接触して該同軸ケーブルを支える役割を果たすケーブル支持部、及び、上記嵌合部から屈曲可能に伸び、屈曲せしめられたとき上記ケーブル支持部に対向する位置をとるシェル部を有したグラウンドコンタクト部材と、
上記シグナルコンタクト部材と上記グラウンドコンタクト部材とを相互絶縁状態をもって支持する絶縁ハウジング部材と、
を備えて構成され、
上記グラウンドコンタクト部材における上記ケーブル支持部に第１の係合部が設けられるとともに上記グラウンドコンタクト部材における上記シェル部に第２の係合部が設けられ、上記ケーブル支持部が同軸ケーブルを支えたもとで上記シェル部が上記ケーブル支持部に対向する位置をとるとき、上記第１の係合部と上記第２の係合部とが相互係合して、上記ケーブル支持部と上記シェル部とが上記ケーブル支持部により支えられた同軸ケーブルを挟持する状態を維持することを特徴とする同軸コネクタ装置。
【請求項２】
上記第１の係合部が突起部を成すとともに上記第２の係合部が上記突起部に係合するフック状部を成すことを特徴とする請求項１記載の同軸コネクタ装置。
【請求項３】
上記第１の係合部に該第１の係合部に係合する上記第２の係合部に対する案内を行う傾斜面が設けられていることを特徴とする請求項１記載の同軸コネクタ装置。
【請求項４】
上記グラウンドコンタクト部材における上記ケーブル支持部に上記第１の係合部が一対設けられるとともに上記グラウンドコンタクト部材における上記シェル部に上記第２の係合部が一対設けられることを特徴とする請求項１記載の同軸コネクタ装置。
【請求項５】
上記グラウンドコンタクト部材における上記ケーブル支持部が、相互対向する一対の側壁部と該一対の側壁部の間に配された底部とを備えていてＵ字状断面部分を有するものとされ、上記一対の第１の係合部が上記一対の側壁部に夫々設けられたことを特徴とする請求項４記載の同軸コネクタ装置。
【請求項６】
上記グラウンドコンタクト部材における上記シェル部が、該シェル部が上記ケーブル支持部に対向する位置をとるとき該ケーブル支持部における一対の側壁部に夫々近接する一対の近接係合部を有したものとされ、上記一対の第２の係合部が上記一対の近接係合部に夫々設けられたことを特徴とする請求項５記載の同軸コネクタ装置。
【発明の詳細な説明】
【技術分野】
【０００１】
本願の特許請求の範囲に記載された発明は、中心導体とそれを内部絶縁体を介して包囲する外側導体とが表皮絶縁体により被覆されて成る同軸ケーブルの中心導体及び外側導体に夫々接続される、互いに絶縁されたシグナルコンタクト部材及びグラウンドコンタクト部材を備えて成り、同軸ケーブルが装着されたもとで他のコネクタ装置である相手方コネクタ装置に嵌合連結される同軸コネクタ装置に関する。
【背景技術】
【０００２】
複数の電気／電子部品，電気装置あるいは電子機器間等における高周波信号の伝送には、外部ノイズの影響を受け難い信号伝送路を形成する、中心導体とそれを内部絶縁体を介して包囲する外側導体とが表皮絶縁体により被覆されて成る同軸ケーブルが用いられることが多い。例えば、同軸ケーブルが高周波信号を扱う回路基板に接続されて、当該回路基板からその外部への同軸ケーブルを通じた高周波信号の伝送、あるいは、当該回路基板への外部からの高周波信号の同軸ケーブルを通じた伝送が行われる。
【０００３】
同軸ケーブルが回路基板に接続される際には、同軸ケーブルの中心導体が接続されるシグナルコンタクト部材と同軸ケーブルの外側導体が接続されるグラウンドコンタクト部材とを備えた同軸コネクタ装置に同軸ケーブルが装着され、その同軸コネクタ装置が、例えば、回路基板において扱われる高周波信号が供給される中心シグナルコンタクト部と中心シグナルコンタクト部を包囲して配されてグラウンド電位が与えられる環状グラウンドコンタクト部とを備えて回路基板に取り付けられた相手方コネクタ装置に連結されるようにされる。このような同軸ケーブルが装着された同軸コネクタ装置の相手方コネクタ装置との連結は、例えば、同軸コネクタ装置のグラウンドコンタクト部材が相手方コネクタ装置の環状グラウンドコンタクト部に嵌合接続されるもとで、同軸コネクタ装置のシグナルコンタクト部材が相手方コネクタ装置の中心シグナルコンタクト部に接触接続される状態がとられて行われる。
【０００４】
斯かる同軸コネクタ装置の相手方コネクタ装置との連結が行われる際には、回路基板に取り付けられた相手方コネクタ装置が、例えば、それにおける中心シグナルコンタクト部と環状グラウンドコンタクト部とを回路基板における部品搭載面の上方に向かわせるものとされ、その相手方コネクタ装置に対して、同軸ケーブルが装着された同軸コネクタ装置が、回路基板における部品搭載面の上方からその部品搭載面に向かう方向をもって係合せしめられて、同軸コネクタ装置のグラウンドコンタクト部材が相手方コネクタ装置の環状グラウンドコンタクト部に嵌合接続されるとともに、同軸コネクタ装置のシグナルコンタクト部材が相手方コネクタ装置の中心シグナルコンタクト部に接触接続される。従って、相手方コネクタ装置が取り付けられた回路基板上において、相手方コネクタ装置に連結された同軸コネクタ装置は回路基板における部品搭載面から突出するものとなる。
【０００５】
このような同軸コネクタ装置にあっては、中心導体とそれを内部絶縁体を介して包囲する外側導体とが表皮絶縁体により被覆されて成る同軸ケーブルが装着されるにあたり、その中心導体がシグナルコンタクト部材に接続された同軸ケーブルを支え、同軸コネクタ装置に安定に固定することが必要とされる。そのため、従来の同軸コネクタ装置にあっては、同軸ケーブルの外側導体に接続されるグラウンドコンタクト部材に同軸ケーブルに対する固定手段が設けられ、その固定手段によって、同軸ケーブルを、中心導体がシグナルコンタクト部材に接続されるとともに外側導体がグラウンドコンタクト部材に接続された状態を維持させるべく支えて、同軸コネクタ装置に固定するようになすことが提案されている（例えば、特許文献１参照。）。
【０００６】
特許文献１に開示されている同軸コネクタ装置(10)は、同軸ケーブル（11) の中心導体（12) が接続される中心導体接続部（51) 及びそれから伸びる一対の接触係合部（52）を有したシグナルコンタクト部材（コンタクト部材(20)) と、相手方同軸コネクタ装置(30)に嵌合する嵌合口端を有した環状を成す嵌合部（環状嵌合部(26)），嵌合部から伸びるケーブル支持部(45)及び嵌合部から屈曲可能に伸びるシェル部（44) を有したグラウンドコンタクト部材（21) と、シグナルコンタクト部材を保持して相手方同軸コネクタ装置に嵌合する基部(25)及び基部から伸びてグラウンドコンタクト部材を保持する保持部(41)を有した絶縁ハウジング部材(22)とを備えて構成されている。そして、グラウンドコンタクト部材のケーブル支持部は、同軸ケーブルの一端部における表皮絶縁体が剥がされて外側導体(14)が露出した部分を収容するＵ字溝状部を形成しており、また、グラウンドコンタクト部材のシェル部には、一対の第１の折曲係合部(46)及び一対の第２の折曲係合部(47)が設けられている。
【０００７】
斯かる特許文献１に開示されている同軸コネクタ装置においては、同軸ケーブルの中心導体がシグナルコンタクト部材の中心導体接続部に接続されるとともに、ケーブル支持部が同軸ケーブルの一端部における表皮絶縁体が剥がされて外側導体が露出した部分を収容したもとで、グラウンドコンタクト部材のシェル部が嵌合部に向かって屈曲せしめられてケーブル支持部に対向する位置をとるものとされ、さらに、シェル部に設けられた一対の第１の折曲係合部が、同軸ケーブルの一端部における表皮絶縁体が剥がされて外側導体が露出した部分を収容したケーブル支持部をその外側から包むように折曲せしめられてケーブル支持部を保持し、また、シェル部に設けられた一対の第２の折曲係合部が、同軸ケーブルの表皮絶縁体をその外側から係合保持する。その際、シェル部に設けられた第１の折曲係合部が同軸ケーブルの外側導体に接触したケーブル支持部をその外側から包んで保持することにより、同軸ケーブルの外側導体がグラウンドコンタクト部材に接続される。
【０００８】
このようにして、第１の折曲係合部が同軸ケーブルの一端部における表皮絶縁体が剥がされて外側導体が露出した部分を収容したケーブル支持部をその外側から包んで保持するとともに、第２の折曲係合部が同軸ケーブルの表皮絶縁体をその外側から係合保持することにより、中心導体がシグナルコンタクト部材の中心導体接続部に接続された同軸ケーブルが、グラウンドコンタクト部材のケーブル支持部とグラウンドコンタクト部材のシェル部に設けられた第１の折曲係合部及び第２の折曲係合部とによって、同軸コネクタ装置に固定された状態がとられる。従って、グラウンドコンタクト部材のケーブル支持部とシェル部とが、同軸ケーブルを、中心導体がシグナルコンタクト部材に接続されるとともに外側導体がグラウンドコンタクト部材に接続された状態を維持させるべく支えて同軸コネクタ装置に固定する固定手段を構成していることになる。
【先行技術文献】
【特許文献】
【０００９】
【特許文献１】特開２０１３−０５８４１７号公報
【発明の概要】
【発明が解決しようとする課題】
【００１０】
上述の特許文献１に開示されているような従来提案されている同軸コネクタ装置にあっては、同軸ケーブルが、中心導体がシグナルコンタクト部材に接続されるとともに外側導体がグラウンドコンタクト部材に接続された状態を維持すべく支えられて、同軸コネクタ装置に固定されるにあたり、グラウンドコンタクト部材のシェル部に設けられた第１の折曲係合部が、グラウンドコンタクト部材のケーブル支持部をその外側から包むように折曲せしめられてケーブル支持部を保持するものとされる。それにより、ケーブル支持部をその外側から包むように折曲せしめられた第１の折曲係合部は、同軸コネクタ装置に固定された同軸ケーブルからグラウンドコンタクト部材の環状を成す嵌合部における嵌合口端側に突出するものとされる。
【００１１】
斯かるもとで、同軸ケーブルが装着された同軸コネクタ装置は、グラウンドコンタクト部材の環状を成す嵌合部における嵌合口端及び絶縁ハウジング部材の基部を、回路基板の部品搭載面に取り付けられた相手方コネクタ装置に嵌合させて、当該相手方コネクタ装置に連結されるが、その際、ケーブル支持部をその外側から包むように折曲せしめられて、同軸コネクタ装置に固定された同軸ケーブルからグラウンドコンタクト部材の環状を成す嵌合部における嵌合口端側に突出するものとされた第１の折曲係合部が、相手方コネクタ装置が取り付けられた回路基板の部品搭載面に当接し、当該部品搭載面に設けられた配線部との不所望な接触を生じてしまう虞、即ち、グラウンドコンタクト部材の一部が相手方コネクタ装置が取り付けられた回路基板の部品搭載面に設けられた配線部との不所望な接触を生じてしまう虞があるという不都合がもたらされる。
【００１２】
とりわけ、相手方コネクタ装置が取り付けられた回路基板，回路基板上の相手方コネクタ装置及び同軸ケーブルが装着されて相手方コネクタ装置に連結された同軸コネクタ装置についての、一般的に望まれるその全体の低背化、即ち、回路基板の厚み方向の寸法の低減が図られたもとにあっては、同軸コネクタ装置に装着された同軸ケーブルと相手方コネクタ装置が取り付けられた回路基板の部品搭載面との間の間隔が比較的小とされることにより、第１の折曲係合部が相手方コネクタ装置が取り付けられた回路基板の部品搭載面に設けられた配線部との不所望な接触を生じてしまう虞が一段と増大することになってしまう。
【００１３】
斯かる点に鑑み、本願の特許請求の範囲に記載された発明は、同軸ケーブルの中心導体が接続されるシグナルコンタクト部材と、同軸ケーブルの外側導体が接続されるグラウンドコンタクト部材と、シグナルコンタクト部材とグラウンドコンタクト部材とを相互絶縁状態をもって支持する絶縁ハウジング部材とを備えて構成され、同軸ケーブルが装着されたもとで回路基板の部品搭載面に固定された相手方コネクタ装置に嵌合連結されるにあたり、グラウンドコンタクト部材の一部が相手方コネクタ装置が取り付けられた回路基板の部品搭載面に設けられた配線部との不所望な接触を生じてしまう虞を回避することができる同軸コネクタ装置を提供する。
【課題を解決するための手段】
【００１４】
本願の特許請求の範囲における請求項１から請求項６までのいずれかに記載された発明に係る同軸コネクタ装置（以下、本願発明に係る同軸コネクタ装置という。）は、同軸ケーブルの中心導体との電気的接続がなされて外部シグナルコンタクト部に接触接続されるシグナルコンタクト部材と、外部グラウンドコンタクト部に嵌合接続される嵌合部，嵌合部から伸びて中心導体がシグナルコンタクト部材との電気的接続状態におかれる同軸ケーブルの外側導体に接触して当該同軸ケーブルを支える役割を果たすケーブル支持部、及び、嵌合部から屈曲可能に伸び、屈曲せしめられたときケーブル支持部に対向する位置をとるシェル部を有したグラウンドコンタクト部材と、シグナルコンタクト部材とグラウンドコンタクト部材とを相互絶縁状態をもって支持する絶縁ハウジング部材とを備えて構成される。そして、グラウンドコンタクト部材におけるケーブル支持部に第１の係合部が設けられるとともにグラウンドコンタクト部材におけるシェル部に第２の係合部が設けられ、ケーブル支持部が同軸ケーブルを支えたもとでシェル部がケーブル支持部に対向する位置をとるとき、第１の係合部と第２の係合部とが相互係合して、ケーブル支持部とシェル部とがケーブル支持部により支えられた同軸ケーブルを挟持する状態を維持することを特徴とするものとされる。
【００１５】
このような本願発明に係る同軸コネクタ装置にあっては、中心導体がシグナルコンタクト部材との電気的接続状態におかれる同軸ケーブルが、グラウンドコンタクト部材の嵌合部から伸びて同軸ケーブルの外側導体との電気的接続状態をとるケーブル支持部により支えられたもとで、グラウンドコンタクト部材の嵌合部から屈曲可能に伸びるシェル部が、屈曲せしめられてケーブル支持部に対向する位置をとるとき、ケーブル支持部に設けられて、例えば、突起部を成す第１の係合部とシェル部に設けられて、例えば、フック状部を成す第２の係合部とが相互係合して、ケーブル支持部とシェル部とがケーブル支持部により支えられた同軸ケーブルを挟持する状態を維持するものとされる。それにより、同軸ケーブルが、その中心導体がシグナルコンタクト部材に電気的に接続されるとともにその外側導体がそれに接触するケーブル支持部を有したグラウンドコンタクト部材に電気的に接続された状態をもって、同軸コネクタ装置に装着された状態が安定に維持される。
【００１６】
ケーブル支持部に設けられた第１の係合部とシェル部に設けられた第２の係合部とが相互係合する際には、例えば、第２の係合部が、第１の係合部の一端部に設けられた傾斜面に当接し、その傾斜面による案内を受けて第１の係合部に係合するものとされる。
【００１７】
また、例えば、第１の係合部がケーブル支持部に一対設けられるとともに第２の係合部がシェル部に一対設けられ、シェル部が屈曲せしめられてケーブル支持部に対向する位置をとるとき、一対の第１の係合部と一対の第２の係合部とが夫々相互係合するものとされる。
【発明の効果】
【００１８】
上述の本願発明に係る同軸コネクタ装置によれば、ケーブル支持部に設けられた第１の係合部とシェル部に設けられた第２の係合部とが相互係合することにより、同軸ケーブルが、その中心導体がシグナルコンタクト部材に接続されるとともにその外側導体がそれに接触するケーブル支持部を有したグラウンドコンタクト部材に接続された状態をもって、同軸コネクタ装置に装着された状態が安定に維持されることになり、その際、シェル部は、例えば、それにおける折曲係合部を成す一部分が同軸ケーブルを支えたケーブル支持部をその外側から包んで保持するものとはされず、従って、その一部分が同軸コネクタ装置に固定された同軸ケーブルからグラウンドコンタクト部材の嵌合部における嵌合口端側に突出するものとされるという事態もまねかれない。
【００１９】
それゆえ、同軸ケーブルが装着された本願発明に係る同軸コネクタ装置が、グラウンドコンタクト部材の嵌合部における嵌合口端を回路基板の部品搭載面に固定された相手方コネクタ装置に嵌合させて、当該相手方コネクタ装置に嵌合連結されるにあたり、相手方コネクタ装置が取り付けられた回路基板，回路基板上の相手方コネクタ装置及び同軸ケーブルが装着されて相手方コネクタ装置に連結された同軸コネクタ装置についての全体的な低背化、即ち、回路基板の厚み方向の寸法の低減が図られたもとにあっても、グラウンドコンタクト部材が有するシェル部の一部分が、相手方コネクタ装置が固定された回路基板の部品搭載面に当接し、当該部品搭載面に設けられた配線部との不所望な接触を生じてしまう虞、即ち、グラウンドコンタクト部材の一部が相手方コネクタ装置が取り付けられた回路基板の部品搭載面に設けられた配線部との不所望な接触を生じてしまう虞を回避することができる。
【図面の簡単な説明】
【００２０】
【図１】本願発明に係る同軸コネクタ装置の一例を示す斜視図である。
【図２】本願発明に係る同軸コネクタ装置の一例を示す側面図である。
【図３】本願発明に係る同軸コネクタ装置の一例を示す斜視図である。
【図４】本願発明に係る同軸コネクタ装置の一例を示す側面図である。
【図５】本願発明に係る同軸コネクタ装置の一例に同軸ケーブルの一端部が配された状態を示す斜視図である。
【図６】本願発明に係る同軸コネクタ装置の一例に同軸ケーブルの一端部が配された状態を示す側面図である。
【図７】本願発明に係る同軸コネクタ装置の一例に同軸ケーブルの一端部が配された状態を示す断面図である。
【図８】本願発明に係る同軸コネクタ装置の一例に同軸ケーブルが装着された状態を示す斜視図である。
【図９】本願発明に係る同軸コネクタ装置の一例に同軸ケーブルが装着された状態を示す底面図である。
【図１０】図９における X−X 線断面を示す断面図である。
【図１１】図９におけるXI−XI線断面を示す断面図である。
【図１２】本願発明に係る同軸コネクタ装置の一例が嵌合連結される相手方コネクタ装置の一例を示す斜視図である。
【図１３】本願発明に係る同軸コネクタ装置の一例が嵌合連結される相手方コネクタ装置の一例を示す側面図である。
【図１４】本願発明に係る同軸コネクタ装置の一例が相手方コネクタ装置の一例に嵌合連結された状態を同軸ケーブルの図示を省略して示す斜視図である。
【図１５】本願発明に係る同軸コネクタ装置の一例が相手方コネクタ装置の一例に嵌合連結された状態を同軸ケーブルの図示を省略して示す側面図である。
【発明を実施するための形態】
【００２１】
本願発明を実施するための形態は、以下に述べられる本願発明についての実施例をもって説明される。
【実施例】
【００２２】
図１及び図２は、本願発明に係る同軸コネクタ装置の一例を示す。図１及び図２に示される本願発明に係る同軸コネクタ装置の一例を成す同軸コネクタ装置１０は、実際の使用にあたっては、中心導体と外側導体とを有した同軸ケーブル（一例が同軸ケーブル４０として後述される図５に示されている。）が装着されて、回路基板における部品搭載面に取り付けられた相手方コネクタ装置（一例が相手方コネクタ装置５０として後述される図１２及び図１３に示されている。）に嵌合連結されるものとされている。
【００２３】
同軸コネクタ装置１０は、主要構成要素として、導電性材料により形成されたシグナルコンタクト部材１１と、導電性材料により形成されたグラウンドコンタクト部材１２と、合成樹脂材等の絶縁材料により形成されてシグナルコンタクト部材１１とグラウンドコンタクト部材１２とを相互絶縁状態をもって支持する絶縁ハウジング部材１３と、を備えて構成される。シグナルコンタクト部材１１は、中心導体と外側導体とを有した同軸ケーブルの一端部において露出せしめられた中心導体に電気的に接続され、グラウンドコンタクト部材１２は、中心導体と外側導体とを有した同軸ケーブルの一端部において露出せしめられた外側導体に電気的に接続される。
【００２４】
絶縁ハウジング部材１３は、その中央部分においてシグナルコンタクト部材１１を支持する基部１４と、基部１４の一端から折曲可能に伸びて基部１４に向かって折り曲げられるものとされた折曲当接部１５とを有している。折曲当接部１５は、全体として板状部を成しており、基部１４に向かって折り曲げられたとき、基部１４によって保持されたシグナルコンタクト部材１１に当接するものとされている。
【００２５】
シグナルコンタクト部材１１は、絶縁ハウジング部材１３における基部１４に固定される平板状を成す固定部１６と、固定部１６から屈曲部１７を介して折り返すように伸びる可動平板状部１８と、固定部１６から相互対向して伸びる一対の弾性舌片部１９（一対の弾性舌片部１９のうちの一方は図に現れていない。）とを有して構成されている。一対の弾性舌片部１９は、絶縁ハウジング部材１３における基部１４の中央部分に形成された透孔部２０（図７に示されている。）を貫通するものとされている。
【００２６】
可動平板状部１８は、屈曲部１７を揺動支点部として、固定部１６に近接する方向及び固定部１６から離隔する方向に弾性揺動可能とされている。そして、可動平板状部１８は、固定部１６上に同軸ケーブルの中心導体が配されたもとで、固定部１６に近接するものとされるとき、固定部１６に対向する状態をとり、それにより、同軸ケーブルの中心導体を固定部１６と可動平板状部１８とによって機械的に挟持された状態に置く。このような固定部１６と可動平板状部１８とは、同軸ケーブルの中心導体を機械的に挟持することによりその中心導体との電気的接続がなされる、シグナルコンタクト部材１１における中心導体接続部２１を構成している。
【００２７】
このような固定部１６及び可動平板状部１８を含んで構成された中心導体接続部２１と一対の弾性舌片部１９とを有して成るシグナルコンタクト部材１１は、例えば、弾性金属板材に打抜き屈曲加工が施されることにより一体的に形成される。
【００２８】
グラウンドコンタクト部材１２は、絶縁ハウジング部材１３の基部１４をその一部分を除いて包囲する環状を成す嵌合部２２と、嵌合部２２の一端から伸びるケーブル支持部２３と、嵌合部２２におけるケーブル支持部２３が伸びる部分に対向する部分から屈曲可能に伸びるシェル部２４とを有している。環状を成す嵌合部２２の他端と嵌合部２２により包囲された絶縁ハウジング部材１３の基部１４の端部とは、同軸コネクタ装置１０が連結される相手方コネクタ装置のグラウンドコンタクト部に対する嵌合接続部を構成している。
【００２９】
そして、グラウンドコンタクト部材１２の嵌合部２２には、複数の切欠き２２ａが設けられている。これらの複数の切欠き２２ａは、絶縁ハウジング部材１３の基部１４に設けられた複数の突出係合部分１４ａが夫々挿入されて係合するものとされており、それにより、グラウンドコンタクト部材１２が絶縁ハウジング部材１３によって支持されたものとされる。その結果、絶縁ハウジング部材１３は、その基部１４によってシグナルコンタクト部材１１とグラウンドコンタクト部材１２とを相互絶縁状態をもって支持していることになる。
【００３０】
グラウンドコンタクト部材１２のケーブル支持部２３は、中心導体がシグナルコンタクト部材１１の中心導体接続部２１との電気的接続状態におかれる同軸ケーブルの外側導体に接触して当該同軸ケーブルを支える役割を果たすべく、グラウンドコンタクト部材１２の嵌合部２２から実質的に平行に伸びて相互対向する一対の側壁部２５と、それらから夫々屈曲して伸び広がって一対の側壁部２５の間に配された一対の底部２６と、を備えていて、Ｕ字状断面部分を有するものとされている。一対の底部２６は、中心導体がシグナルコンタクト部材１１の中心導体接続部２１との電気的接続状態におかれる同軸ケーブルを、その剥き出された外側導体に外側から接触して支持するものとなる。そして、一対の側壁部２５の夫々の端縁部分２５ａにおける端部には突起部を成す第１の係合部２７が設けられており、第１の係合部２７には傾斜面２７ａが形成されている。従って、ケーブル支持部２３には、各々が傾斜面２７ａを有する突起部を成すものとされた一対の第１の係合部２７が設けられていることになる。
【００３１】
グラウンドコンタクト部材１２のシェル部２４は、それに沿って絶縁ハウジング部材１３における折曲当接部１５が伸びることになるものとされており、嵌合部２２及びそれから伸びるケーブル支持部２３に向けて屈曲せしめられて、図３及び図４に示されるように、ケーブル支持部２３に対向する位置をとるものとされている。そして、中心導体がシグナルコンタクト部材１１の中心導体接続部２１との電気的接続状態におかれる同軸ケーブルが、その外側導体に接触するケーブル支持部２３により支えられたもとで、シェル部２４が嵌合部２２及びそれから伸びるケーブル支持部２３に向けて屈曲せしめられてケーブル支持部２３に対向する位置におかれるときには、絶縁ハウジング部材１３における折曲当接部１５が、シェル部２４に伴って屈曲せしめられ、シグナルコンタクト部材１１における中心導体接続部２１を構成する可動平板状部１８に当接して可動平板状部１８を弾性揺動させ、可動平板状部１８にシグナルコンタクト部材１１における中心導体接続部２１を構成する固定部１６に対向する状態をとらせる。それにより、固定部１６と可動平板状部１８とが同軸ケーブルの中心導体を機械的に挟持して、当該中心導体がシグナルコンタクト部材１１の中心導体接続部２１との電気的接続状態におかれる。
【００３２】
また、シェル部２４は、それがケーブル支持部２３に対向する位置をとるときケーブル支持部２３における一対の側壁部２５に夫々近接する一対の近接係合部２８を有している。そして、一対の近接係合部２８の夫々にはフック状部を成す第２の係合部２９が設けられている。従って、シェル部２４には、その一対の近接係合部２８に、各々がフック状部を成すものとされた一対の第２の係合部２９が夫々設けられていることになる。
【００３３】
上述のようにケーブル支持部２３に設けられ一対の第１の係合部２７とシェル部２４に設けられた一対の第２の係合部２９とは、シェル部２４がケーブル支持部２３に対向する位置をとるとき相互係合して、シェル部２４にケーブル支持部２３に対向する位置を維持させる。その際には、シェル部２４に設けられたフック状部を成す第２の係合部２９が、ケーブル支持部２３に設けられた突起部を成す第１の係合部２７が有する傾斜面２７ａによる案内を受けるもとで当該第１の係合部２７に係合するものとされる。
【００３４】
さらに、シェル部２４には、折曲せしめられて、中心導体がシグナルコンタクト部材１１の中心導体接続部２１との電気的接続状態におかれるものとされてケーブル支持部２３により支えられた同軸ケーブルの外側導体をその外側から包み込む状態をとる一対の第１の折曲係合片３０、及び、屈曲せしめられて、中心導体がシグナルコンタクト部材１１の中心導体接続部２１との電気的接続状態におかれるものとされてケーブル支持部２３により支えられた同軸ケーブルの表皮絶縁体をその外側から包み込む状態をとる一対の第２の折曲係合片３１が設けられている。それに加えて、シェル部２４には、その内面側における一対の近接係合部２８に挟まれた部分に凹部３２が設けられている。
【００３５】
一対の第１の折曲係合片３０及び一対の第２の折曲係合片３１の夫々は、折曲せしめられるにあたっては、図１及び図２に示されるような相互対向する状態から、図３及び図４に示されるような相互近接する方向に折曲せしめられた状態に移行する。
【００３６】
上述のような環状を成す嵌合部２２とそれから伸びるケーブル支持部２３及びシェル部２４とを有して成るグラウンドコンタクト部材１２は、例えば、弾性金属板材に打抜き屈曲加工が施されることにより一体的に形成される。
【００３７】
このようなもとで、同軸コネクタ装置１０に同軸ケーブルが装着される際には、先ず、図５〜図７に示されるように、同軸ケーブルの一例である同軸ケーブル４０の一端部が同軸コネクタ装置１０のシグナルコンタクト部材１１，グラウンドコンタクト部材１２及び絶縁ハウジング部材１３に係合せしめられる。同軸ケーブル４０は、中心導体４１と、中心導体４１を覆う内部絶縁体４２と、内部絶縁体４２を包囲する外側導体４３と、外側導体４３を覆う表皮絶縁体４４とを有しており、中心導体４１は、例えば、多数の細導線が撚り合わされて成る撚線とされる。そして、同軸ケーブル４０の一端部においては、表皮絶縁体４４，外側導体４３及び内部絶縁体４２が部分的に切除されて、中心導体４１が剥き出されており、また、内部絶縁体４２及び外側導体４３が部分的に露出せしめられている。
【００３８】
このとき、同軸コネクタ装置１０にあっては、剥き出された同軸ケーブル４０の中心導体４１が、シグナルコンタクト部材１１における中心導体接続部２１の固定部１６に、グラウンドコンタクト部材１１における嵌合部２２からケーブル支持部２４が伸びる方向に沿って載置されるとともに、絶縁ハウジング部材１３の基部１４によって支持される。また、露出せしめられた同軸ケーブル４０の外側導体４３に、グラウンドコンタクト部材１２における嵌合部２２から伸びるケーブル支持部２３の底部２６が当接しており、それによって、同軸ケーブル４０の外側導体４３が、グラウンドコンタクト部材１２に電気的に接続された状態におかれるとともに、同軸ケーブル４０がケーブル支持部２３によって支えられた状態におかれる。
【００３９】
このようにして、同軸ケーブル４０の一端部が同軸コネクタ装置１０のシグナルコンタクト部材１１，グラウンドコンタクト部材１２及び絶縁ハウジング部材１３に係合せしめられたもとで、グラウンドコンタクト部材１２におけるシェル部２４が、グラウンドコンタクト部材１２における嵌合部２２及びそれから伸びるケーブル支持部２３に向けて屈曲せしめられて、図３及び図４に示されるようなケーブル支持部２３に対向する位置をとるものとされる。それにより、シェル部２４に設けられた各々がフック状部を成す一対の第２の係合部２９の夫々が、ケーブル支持部２３に設けられた各々が突起部を成す一対の第１の係合部２７の夫々が有する傾斜面２７による案内を受けるもとで当該第１の係合部２７に係合して、図８〜図１１に示されるように、ケーブル支持部２３に設けられた一対の第１の係合部２７とシェル部２４に設けられた一対の第２の係合部２９とが相互係合した状態におかれる。その結果、ケーブル支持部２３とシェル部２４とがケーブル支持部２３により支えられた同軸ケーブル４０を機械的に挟持する状態を確実に維持するものとされる。
【００４０】
続いて、シェル部２４に設けられた一対の第１の折曲係合片３０が、ケーブル支持部２３とシェル部２４とによって挟持された同軸ケーブル４０の外側導体４３をその外側から包み込むように折曲せしめられるものとされ、さらに、シェル部２４に設けられた一対の第２の折曲係合片３１が、ケーブル支持部２３とシェル部２４とによって挟持された同軸ケーブル４０における表皮絶縁体４４をその外側から包み込むように折曲せしめられるものとされる。
【００４１】
斯かる際、グラウンドコンタクト部材１２におけるシェル部２４に伴って折り曲げられた絶縁ハウジング部材１３における折曲当接部１５が、シグナルコンタクト部材１１における中心導体接続部２１を構成する可動平板状部１８に当接して、可動平板状部１８を固定部１６に向けて押圧変位させ、固定部１６に載置された同軸ケーブル４０の中心導体４１を、固定部１６と可動平板状部１８とによって機械的に挟持されたものとなす。その結果、同軸ケーブル４０の中心導体４１が、シグナルコンタクト部材１１における中心導体接続部２１に、それにより機械的に挟持されることにより電気的に接続された状態が得られる。そして、シグナルコンタクト部材１１における中心導体接続部２１に同軸ケーブル４０の中心導体４１を半田付けすることは不要とされる。
【００４２】
また、グラウンドコンタクト部材１２におけるシェル部２４に設けられ一対の第１の折曲係合片３０が、ケーブル支持部２３により支えられた同軸ケーブル４０における外側導体４３に外側から係合するものとされることにより、グラウンドコンタクト部材１２と同軸ケーブル４０の外側導体４３との電気的接続がより一層確実に行われることになる。さらに、グラウンドコンタクト部材１２におけるシェル部２４に設けられ一対の第２の折曲係合片３１が、ケーブル支持部２３により支えられた同軸ケーブル４０における表皮絶縁対４４に外側から係合するものとされることにより、同軸ケーブル４０が細径化が図られたものとされる場合においても、中心導体４１がシグナルコンタクト部材１１に接続されるとともに外側導体４３がグラウンドコンタクト部材１２に接続された同軸ケーブル４０の保持を、確実かつ堅固に行うことができることになる。
【００４３】
図１２及び図１３は、装着された同軸ケーブル４０を伴った同軸コネクタ装置１０が嵌合連結される相手方コネクタ装置の一例を成す相手方コネクタ装置５０を示す。相手方コネクタ装置５０は、図示が省略されている回路基板における部品搭載面上に固定されたものとされて実際の使用に供される。
【００４４】
相手方コネクタ装置５０は、合成樹脂材等の絶縁材料により形成されて、相手方コネクタ装置５０が固定される回路基板の部品搭載面上に配される絶縁基体５３を備えている。絶縁基体５３は、相手方コネクタ装置５０が固定される回路基板の部品搭載面に対接する底面部分とそれに対向する上面部分とを有しており、その中央部分に環状突出部５４が形成されている。
【００４５】
また、相手方コネクタ装置５０は、例えば、合金板材とされる弾性を有した導電材料により形成され、絶縁基体５３をその中央部分に形成された環状突出部５４により包囲された状態をもって底面部分側から上面部分側へと貫通して、絶縁基体５３に組み付けられるシグナルコンタクト部５５を備えている。シグナルコンタクト部５５には、絶縁基体５３において底面部分側から上面部分側へと伸びる円柱状部を成す接触接続部５５ａと，絶縁基体５３の底面部分において接触接続部５５ａから絶縁基体５３の外部へと伸びるシグナル用接続部５５ｂとが設けられている。接触接続部５５ａは、相手方コネクタ装置５０に嵌合連結された同軸コネクタ装置１０のシグナルコンタクト部材１１における一対の弾性舌片部１９が接触接続されるものとされ、シグナル用接続部５５ｂは、絶縁基体５３が配される部品搭載面を有する回路基板に設けられたシグナル端子（図示が省略されている。）に、例えば、半田付けにより接続される。
【００４６】
さらに、相手方コネクタ装置５０は、例えば、合金板材とされる弾性を有した導電材料により形成され、絶縁基体５３の上面部分側において、絶縁基体５３に形成された環状突出部５４の周囲に配される環状体を成すものとして絶縁基体５３に組み付けられたグラウンドコンタクト部５６を備えている。グラウンドコンタクト部５６には、それから絶縁基体５３を貫通して絶縁基体５３の底面部分側において絶縁基体５３の外部へと伸びる複数のグラウンド接続部５６ａが設けられている。グラウンドコンタクト部５６は、相手方コネクタ装置５０に嵌合連結された同軸コネクタ装置１０におけるグラウンドコンタクト部材１２における嵌合部２２が嵌合接続されるものとされ、グラウンド接続部５６ａは、絶縁基体５３が配される部品搭載面を有する回路基板に設けられたグラウンド端子（図示が省略されている。）に、例えば、半田付けにより接続される。
【００４７】
そして、図１４及び図１５（いずれにおいても、同軸ケーブルの図示が省略されている。）に示されるように、上述のようにして回路基板における部品搭載面上に固定された相手方コネクタ装置５０に、前述のようにして装着された同軸ケーブル４０を伴った同軸コネクタ装置１０が嵌合連結される。
【００４８】
同軸ケーブル４０を伴った同軸コネクタ装置１０が、回路基板における部品搭載面上に固定された相手方コネクタ装置５０に嵌合連結されたもとにあっては、同軸コネクタ装置１０のグラウンドコンタクト部材１２における環状を成す嵌合部２２が、相手方コネクタ装置５０のグラウンドコンタクト部５６に嵌合接続される。それとともに、同軸コネクタ装置１０における絶縁ハウジング部材１３における基部１４が、相手方コネクタ装置５０のグラウンドコンタクト部５６により包囲された絶縁基体５３に形成された環状突出部５４の内側に配されて、基部１４の中央部分に形成された透孔部２０内に、相手方コネクタ装置５０のシグナルコンタクト部５５における接触接続部５５ａが挿入され、透孔部２０内を貫通して伸びる同軸コネクタ装置１０のシグナルコンタクト部材１１における一対の弾性舌片部１９が、相手方コネクタ装置５０のシグナルコンタクト部５５における接触接続部５５ａに接触接続される。
【００４９】
このようにして、同軸コネクタ装置１０のグラウンドコンタクト部材１２における嵌合部２２が、相手方コネクタ装置５０のグラウンドコンタクト部５６に嵌合接続せしめられることにより、同軸コネクタ装置１０のグラウンドコンタクト部材１２との電気的接続がなされた同軸ケーブル４０の外側導体４３が、グラウンドコンタクト部材１２における嵌合部２２及び相手方コネクタ装置５０のグラウンドコンタクト部５６を介して、相手方コネクタ装置５０が取り付けられた回路基板に設けられたグラウンド端子に電気的に連結されることになり、また、同軸コネクタ装置１０のシグナルコンタクト部材１１における一対の弾性舌片部１９が、相手方コネクタ装置５０のシグナルコンタクト部５５における接触接続部５５ａに接触接続されることにより、同軸コネクタ装置１０のシグナルコンタクト部材１１における中心導体接続部２１との電気的接続がなされた同軸ケーブル４０の中心導体４１が、シグナルコンタクト部材１１における一対の弾性舌片部１９及び相手方コネクタ装置５０のシグナルコンタクト部５５における接触接続部５５ａを介して、相手方コネクタ装置５０が取り付けられた回路基板に設けられたシグナル端子に電気的に連結されることになる。
【００５０】
上述のような本願発明に係る同軸コネクタ装置の一例を成す同軸コネクタ装置１０によれば、ケーブル支持部２３に設けられた第１の係合部２７とシェル部２４に設けられた第２の係合部２９とが相互係合することにより、同軸ケーブル４０が、その中心導体４１がシグナルコンタクト部材１１に接続されるとともにその外側導体４３がそれに接触するケーブル支持部２３を有したグラウンドコンタクト部材１２に接続された状態をもって、同軸コネクタ装置１０に装着された状態が安定に維持されることになり、その際、シェル部２４は、例えば、それにおける折曲係合部を成す一部分が同軸ケーブル４０を支えたケーブル支持部２３をその外側から包んで保持するものとはされず、従って、その一部分が同軸コネクタ装置１０に固定された同軸ケーブル４０からグラウンドコンタクト部材１２の嵌合部２２における嵌合口端側に突出するものとされるという事態もまねかれない。
【００５１】
それゆえ、同軸ケーブル４０が装着された同軸コネクタ装置１０が、グラウンドコンタクト部材１２の嵌合部２２における嵌合口端を回路基板の部品搭載面に固定された相手方コネクタ装置５０に嵌合させて、当該相手方コネクタ装置５０に連結されるにあたり、相手方コネクタ装置５０が取り付けられた回路基板，その部品搭載面上の相手方コネクタ装置５０及び同軸ケーブル４０が装着されて相手方コネクタ装置５０に連結された同軸コネクタ装置１０についての全体的な低背化、即ち、回路基板の厚み方向の寸法の低減が図られたもとにあっても、グラウンドコンタクト部材１２が有するシェル部２４の一部分が、相手方コネクタ装置５０が固定された回路基板の部品搭載面に当接し、当該部品搭載面に設けられた配線部との不所望な接触を生じてしまう虞、即ち、グラウンドコンタクト部材１２の一部が相手方コネクタ装置５０が取り付けられた回路基板の部品搭載面に設けられた配線部との不所望な接触を生じてしまう虞を回避することができる。
【産業上の利用可能性】
【００５２】
以上のような本願発明に係る同軸コネクタ装置は、同軸ケーブルの中心導体が接続されるシグナルコンタクト部材と、同軸ケーブルの外側導体が接続されるグラウンドコンタクト部材と、コンタクト部材とグラウンドコンタクト部材とを相互絶縁状態をもって支持する絶縁ハウジング部材とを備えて構成され、同軸ケーブルが装着されたもとで回路基板の部品搭載面に固定された相手方コネクタ装置に連結されるにあたり、グラウンドコンタクト部材の一部が相手方コネクタ装置が固定された回路基板の部品搭載面に設けられた配線部との不所望な接触を生じてしまう虞を回避することができるものとして、各種の電子機器等に広く適用され得るものである。
【符号の説明】
【００５３】
１０・・・同軸コネクタ装置，  １１・・・シグナルコンタクト部材，  １２・・・グラウンドコンタクト部材，  １３・・・絶縁ハウジング部材，  １４・・・基部，  １５・・・折曲当接部，  １６・・・固定部，  １７・・・屈曲部，  １８・・・可動平板状部，  １９・・・弾性舌片部，  ２０・・・透孔部，  ２１・・・中心導体接続部，  ２２・・・嵌合部，  ２３・・・ケーブル支持部，  ２４・・・シェル部，  ２５・・・側壁部，  ２６・・・底部，  ２７・・・第１の係合部，  ２８・・・近接係合部，  ２９・・・第２の係合部，  ３０・・・第１の折曲係合片，  ３１・・・第２の折曲係合片，  ３２・・・凹部，  ４０・・・同軸ケーブル，  ４１・・・中心導体，  ４２・・・内部絶縁体，  ４３・・・外側導体，  ４４・・・表皮絶縁体，  ５０・・・相手方コネクタ装置，  ５３・・・絶縁基体,   ５４・・・環状突出部,   ５５・・・シグナルコンタクト部，  ５５ａ・・・接触接続部，  ５５ｂ・・・シグナル用接続部，  ５６・・・グラウンドコンタクト部，  ５６ａ・・・グラウンド接続部
【図１】
2017157291.tif 000003
【図２】
2017157291.tif 000004
【図３】
2017157291.tif 000005
【図４】
2017157291.tif 000006
【図５】
2017157291.tif 000007
【図６】
2017157291.tif 000008
【図７】
2017157291.tif 000009
【図８】
2017157291.tif 000010
【図９】
2017157291.tif 000011
【図１０】
2017157291.tif 000012
【図１１】
2017157291.tif 000013
【図１２】
2017157291.tif 000014
【図１３】
2017157291.tif 000015
【図１４】
2017157291.tif 000016
【図１５】
2017157291.tif 000017